(57)【特許請求の範囲】
【請求項１】
紙チラシの投函を管理するためのポスティング管理システムであって、
前記紙チラシのポスティング対象であるポストであって、前記紙チラシに印刷されたバーコード又は二次元コードを読み取る読取リーダーと、前記紙チラシの投函者に投函要否を報知する報知部と、コントローラとを有するポストと、
前記ポストを識別するポスト識別情報と前記紙チラシの要否を示すチラシ要否情報とを関連付けて記憶する記憶部を有する管理サーバと、
を備え、
前記読取リーダーは、前記紙チラシに印刷されたバーコード又は二次元コードを読取り、
前記コントローラは、前記読取リーダーで読み取りが行われると、前記ポスト識別情報を前記管理サーバに送信し、
前記管理サーバは、前記ポスト識別情報に対応する前記チラシ要否情報を参照し、前記チラシ要否情報が要である場合には投函可を前記ポストに通知し、前記チラシ要否情報が不要である場合には投函不可を前記ポストに通知し、
前記ポストの報知部は、前記投函可に応答して前記紙チラシの投函を許容する情報を報知し、前記投函不可に応答して前記紙チラシの投函を禁止する情報を報知することを特徴とするポスティング管理システム。
【請求項２】
前記報知部は、ブザーを含み、
前記ブザーは、前記投函可に応答して前記紙チラシの投函を許容するブザー音を出力し、前記投函不可に応答して前記紙チラシの投函を禁止するブザー音を出力することを特徴とする請求項１に記載のポスティング管理システム。
【請求項３】
前記報知部は、モニタを含み、
前記モニタは、前記投函可に応答して前記紙チラシの投函を許容する画面を表示し、前記投函不可に応答して前記紙チラシの投函を禁止する画面を表示することを特徴とする請求項１に記載のポスティング管理システム。
【請求項４】
紙チラシの投函及び電子チラシの配信を管理するためのポスティング管理システムであって、
前記紙チラシのポスティング対象であるポストであって、前記紙チラシに印刷されたバーコード又は二次元コードを読み取る読取リーダーと、前記紙チラシの投函者に投函要否を報知する報知部と、コントローラとを有するポストと、
前記電子チラシの配信先であるユーザ端末と、
前記ポストを識別するポスト識別情報とチラシ要否情報とを関連付けて記憶すると共に、チラシ識別情報と電子チラシとを関連付けて記憶する記憶部を有する管理サーバと、
を備え、
前記チラシ要否情報は、前記電子チラシの配信が要で前記紙チラシの投函が不要である第１パターンと、前記電子チラシの配信が不要で前記紙チラシの投函が要である第２パターンと、前記電子チラシの配信も前記紙チラシの投函も要である第３パターンと、前記電子チラシの配信も前記紙チラシの投函も不要である第４パターンとを含み、
前記読取リーダーは、前記紙チラシに印刷されたバーコード又は二次元コードを読取り、
前記コントローラは、前記バーコード又は前記二次元コードに含まれる前記チラシ識別情報を抽出し、前記チラシ識別情報と前記ポスト識別情報とを前記管理サーバに送信し、
前記管理サーバは、
前記ポスト識別情報によって特定されるポストに関連付けられた前記チラシ要否情報を参照し、
前記チラシ要否情報が前記第１パターンである場合には、投函不可を前記ポストに通知すると共に、前記チラシ識別情報に対応する前記電子チラシを前記ユーザ端末に送信し、
前記チラシ要否情報が前記第２パターンである場合には、投函可を前記ポストに通知し、
前記チラシ要否情報が前記第３パターンである場合には、投函可を前記ポストに通知すると共に、前記チラシ識別情報に対応する前記電子チラシを前記ユーザ端末に送信し、
前記チラシ要否情報が前記第４パターンである場合には、投函不可を前記ポストに通知し、
前記ポストの報知部は、前記投函可に応答して前記紙チラシの投函を許容する情報を報知し、前記投函不可に応答して前記紙チラシの投函を禁止する情報を報知することを特徴とするポスティング管理システム。
【請求項５】
紙チラシの投函を管理するためのポスティング管理システムであって、
前記紙チラシのポスティング対象であるポストであって、前記紙チラシに印刷されたバーコード又は二次元コードを読み取る読取リーダーと、前記紙チラシの投函者に投函要否を報知する報知部と、コントローラとを有するポストと、
前記ポストを識別するポスト識別情報とチラシ要否情報とを関連付けて記憶する記憶部を有する管理サーバと、
を備え、
前記チラシ要否情報は、男性向け紙チラシの投函が要で女性向け紙チラシの投函が不要である第１パターンと、男性向け紙チラシの投函が不要で女性向け紙チラシの投函が要である第２パターンと、男性向け紙チラシの投函も女性向け紙チラシの投函も要である第３パターンと、男性向け紙チラシの投函も女性向け紙チラシの投函も不要である第４パターンとを含み、
前記読取リーダーは、前記紙チラシに印刷されたバーコード又は二次元コードを読取り、
前記コントローラは、前記読取リーダーで読み取りが行われると、前記バーコード又は前記二次元コードに含まれているカテゴリ情報を抽出し、前記カテゴリ情報を前記ポスト識別情報と共に前記管理サーバに送信し、
前記カテゴリ情報は、前記紙チラシが男性向けと女性向けとのいずれであるかを示す情報であり、
前記管理サーバは、
前記チラシ要否情報が前記第１パターンである場合には、前記カテゴリ情報が男性向けであることを条件に投函可を前記ポストに通知し、前記カテゴリ情報が女性向けであることを条件に投函不可を前記ポストに通知し、
前記チラシ要否情報が前記第２パターンである場合には、前記カテゴリ情報が男性向けであることを条件に投函不可を前記ポストに通知し、前記カテゴリ情報が女性向けであることを条件に投函可を前記ポストに通知し、
前記チラシ要否情報が前記第３パターンである場合には、投函可を前記ポストに通知し、
前記チラシ要否情報が前記第４パターンである場合には、投函不可を前記ポストに通知し、
前記ポストの報知部は、前記投函可に応答して前記紙チラシの投函を許容する情報を報知し、前記投函不可に応答して前記紙チラシの投函を禁止する情報を報知することを特徴とするポスティング管理システム。
【発明の詳細な説明】
【技術分野】
【０００１】
本発明は、ポスティング管理システムに関し、より詳細には、紙チラシの投函可否や電子チラシの配信可否を決定するポスティング管理システムに関する。
【背景技術】
【０００２】
従来、ポストに投函された投函物を遠隔地から確認することが可能な技術が提案されている（例えば、特許文献１）。
【０００３】
特許文献１では、郵便物や配達物の投函を検知して内部の投函状況を撮影し、通信ネットワークを介して撮影画像データを投函通知システム（３１１）に送信する郵便ポスト（１０１）が開示されている。
【０００４】
また、特許文献１では、事前登録したメール配信先にポスト内の画像ファイル付きメールを送信する投函通知システム（３１１）が開示されている。
【先行技術文献】
【特許文献】
【０００５】
【特許文献１】特開２０１７−８０３６２号公報
【発明の概要】
【発明が解決しようとする課題】
【０００６】
ところで、ポストには、郵便物や配達物に加え、広告用のチラシやビラ（以下、単にチラシとも称する）なども投函される。
【０００７】
この点、ポストに投函されるチラシは、投函を望まない者にとっては迷惑以外の何ものでもないし、広告主にとっても費用対効果が高いとは言えない。
【０００８】
そこで、本発明の目的は、チラシの提供を希望する者にのみ当該チラシを提供することが可能なポスティング管理システムを提供することにある。
【課題を解決するための手段】
【０００９】
上記目的を達成するために、本発明は、紙チラシの投函を管理するためのポスティング管理システムであって、前記紙チラシのポスティング対象であるポストであって、前記紙チラシに印刷されたバーコード又は二次元コードを読み取る読取リーダーと、前記紙チラシの投函者に投函要否を報知する報知部と、コントローラとを有するポストと、前記ポストを識別するポスト識別情報と前記紙チラシの要否を示すチラシ要否情報とを関連付けて記憶する記憶部を有する管理サーバと、を備え、前記読取リーダーは、前記紙チラシに印刷されたバーコード又は二次元コードを読取り、前記コントローラは、前記読取リーダーで読み取りが行われると、前記ポスト識別情報を前記管理サーバに送信し、前記管理サーバは、前記ポスト識別情報に対応する前記チラシ要否情報を参照し、前記チラシ要否情報が要である場合には投函可を前記ポストに通知し、前記チラシ要否情報が不要である場合には投函不可を前記ポストに通知し、前記ポストの報知部は、前記投函可に応答して前記紙チラシの投函を許容する情報を報知し、前記投函不可に応答して前記紙チラシの投函を禁止する情報を報知することを特徴とするポスティング管理システムを提供している。
【００１０】
ここで、前記報知部は、ブザーを含み、前記ブザーは、前記投函可に応答して前記紙チラシの投函を許容するブザー音を出力し、前記投函不可に応答して前記紙チラシの投函を禁止するブザー音を出力するのが好ましい。
【００１１】
また、前記報知部は、モニタを含み、前記モニタは、前記投函可に応答して前記紙チラシの投函を許容する画面を表示し、前記投函不可に応答して前記紙チラシの投函を禁止する画面を表示するのが好ましい。
【００１２】
また、本発明は、紙チラシの投函及び電子チラシの配信を管理するためのポスティング管理システムであって、前記紙チラシのポスティング対象であるポストであって、前記紙チラシに印刷されたバーコード又は二次元コードを読み取る読取リーダーと、前記紙チラシの投函者に投函要否を報知する報知部と、コントローラとを有するポストと、前記電子チラシの配信先であるユーザ端末と、前記ポストを識別するポスト識別情報とチラシ要否情報とを関連付けて記憶すると共に、チラシ識別情報と電子チラシとを関連付けて記憶する記憶部を有する管理サーバと、を備え、前記チラシ要否情報は、前記電子チラシの配信が要で前記紙チラシの投函が不要である第１パターンと、前記電子チラシの配信が不要で前記紙チラシの投函が要である第２パターンと、前記電子チラシの配信も前記紙チラシの投函も要である第３パターンと、前記電子チラシの配信も前記紙チラシの投函も不要である第４パターンとを含み、前記読取リーダーは、前記紙チラシに印刷されたバーコード又は二次元コードを読取り、前記コントローラは、前記バーコード又は前記二次元コードに含まれる前記チラシ識別情報を抽出し、前記チラシ識別情報と前記ポスト識別情報とを前記管理サーバに送信し、前記管理サーバは、前記ポスト識別情報によって特定されるポストに関連付けられた前記チラシ要否情報を参照し、前記チラシ要否情報が前記第１パターンである場合には、投函不可を前記ポストに通知すると共に、前記チラシ識別情報に対応する前記電子チラシを前記ユーザ端末に送信し、前記チラシ要否情報が前記第２パターンである場合には、投函可を前記ポストに通知し、前記チラシ要否情報が前記第３パターンである場合には、投函可を前記ポストに通知すると共に、前記チラシ識別情報に対応する前記電子チラシを前記ユーザ端末に送信し、前記チラシ要否情報が前記第４パターンである場合には、投函不可を前記ポストに通知し、前記ポストの報知部は、前記投函可に応答して前記紙チラシの投函を許容する情報を報知し、前記投函不可に応答して前記紙チラシの投函を禁止する情報を報知することを特徴とするポスティング管理システムを提供している。
【００１３】
更に、本発明は、紙チラシの投函を管理するためのポスティング管理システムであって、前記紙チラシのポスティング対象であるポストであって、前記紙チラシに印刷されたバーコード又は二次元コードを読み取る読取リーダーと、前記紙チラシの投函者に投函要否を報知する報知部と、コントローラとを有するポストと、前記ポストを識別するポスト識別情報とチラシ要否情報とを関連付けて記憶する記憶部を有する管理サーバと、を備え、前記チラシ要否情報は、男性向け紙チラシの投函が要で女性向け紙チラシの投函が不要である第１パターンと、男性向け紙チラシの投函が不要で女性向け紙チラシの投函が要である第２パターンと、男性向け紙チラシの投函も女性向け紙チラシの投函も要である第３パターンと、男性向け紙チラシの投函も女性向け紙チラシの投函も不要である第４パターンとを含み、前記読取リーダーは、前記紙チラシに印刷されたバーコード又は二次元コードを読取り、前記コントローラは、前記読取リーダーで読み取りが行われると、前記バーコード又は前記二次元コードに含まれているカテゴリ情報を抽出し、前記カテゴリ情報を前記ポスト識別情報と共に前記管理サーバに送信し、前記カテゴリ情報は、前記紙チラシが男性向けと女性向けとのいずれであるかを示す情報であり、前記管理サーバは、前記チラシ要否情報が前記第１パターンである場合には、前記カテゴリ情報が男性向けであることを条件に投函可を前記ポストに通知し、前記カテゴリ情報が女性向けであることを条件に投函不可を前記ポストに通知し、前記チラシ要否情報が前記第２パターンである場合には、前記カテゴリ情報が男性向けであることを条件に投函不可を前記ポストに通知し、前記カテゴリ情報が女性向けであることを条件に投函可を前記ポストに通知し、前記チラシ要否情報が前記第３パターンである場合には、投函可を前記ポストに通知し、前記チラシ要否情報が前記第４パターンである場合には、投函不可を前記ポストに通知し、前記ポストの報知部は、前記投函可に応答して前記紙チラシの投函を許容する情報を報知し、前記投函不可に応答して前記紙チラシの投函を禁止する情報を報知することを特徴とするポスティング管理システムを提供している。
【発明の効果】
【００１４】
本発明によれば、チラシ要否情報が要である場合には投函可がポストに通知され、当該ポストの報知部によって投函を許容する情報が報知される。また、チラシ要否情報が不要である場合には投函不可がポストに通知され、当該ポストの報知部によって投函を禁止する情報が報知される。そのため、チラシの提供を希望する者にのみ当該チラシを提供することが可能である。
【００１５】
なお、本発明のポスティング管理システムのように、チラシの提供を希望する者にのみ当該チラシを提供することができる点は上述した特許文献１には全く記載されていない。
【図面の簡単な説明】
【００１６】
【図１】第１実施形態に係るポスティング管理システムの概略構成図。
【図２】チラシ要否情報を示す図。
【図３】ポスティング管理システムの処理の流れを示すシーケンス図。
【図４】第２実施形態に係るチラシ要否情報を示す図。
【図５】第２実施形態に係る電子チラシ情報を示す図。
【図６】第２実施形態に係るポスティング管理システムのシーケンス図。
【図７】変形例に係るチラシ要否情報を示す図。
【図８】変形例に係るポスティング管理システムのシーケンス図。
【発明を実施するための形態】
【００１７】
＜１．第１実施形態＞
以下、本発明の第１実施形態によるイベント管理システムについて図１から図３に基づき詳細に説明する。具体的には、本発明のポスティング管理システムの一例として、図１に示すポスティング管理システム１を例にとって説明する。
【００１８】
図１に示すように、ポスティング管理システム１は、ポスト２と、スマートフォン３と、管理サーバ４とを備えて構成される。
【００１９】
ポスト２は、家の入り口などに設置される郵便受けであり、紙チラシのポスティング対象である。ポスト２は、ネットワーク通信部２１と、読取リーダー２３と、ブザー２５と、コントローラ（制御部）２７とを備えて構成される。
【００２０】
ネットワーク通信部２１は、インターネットなどのネットワーク回線を介して外部（管理サーバ４）とネットワーク通信を行う処理部である。
【００２１】
読取リーダー２３は、紙チラシに印刷されたバーコード又は二次元コードを読み取るための読取専用装置である。
【００２２】
ブザー２５は、複数種類のブザー音を出力する装置である。ブザー２５は、入力信号に応じて、紙ポストの投函を許容するブザー音や紙チラシの投函を禁止するブザー音を出力することが可能である。
【００２３】
コントローラ２７は、ネットワーク通信部２１、読取リーダー２３及びブザー２５を制御する装置である。
【００２４】
スマートフォン３は、本発明に係るユーザ端末の一例であり、ポスト２を管理する者によって使用される公知の携帯端末である。スマートフォン３は、プロセッサ、プロセッサのワークエリア等として機能するＲＡＭ、プロセッサが実行するプログラムやデータを格納するＲＯＭを備えている。
【００２５】
具体的には、スマートフォン３は、ネットワーク通信部３１と、タッチパネルディスプレイ３３と、制御部３５とを備えて構成される。
【００２６】
ネットワーク通信部３１は、インターネットなどのネットワーク回線を介して外部（管理サーバ４）とネットワーク通信を行う処理部である。
【００２７】
タッチパネルディスプレイ３３は、入力操作に応じて各種画面を表示する公知の操作パネルである。
【００２８】
制御部３５は、ネットワーク通信部３１及びタッチパネルディスプレイ３３を制御する処理部である。
【００２９】
管理サーバ４は、紙チラシの投函を管理するための公知のサーバコンピュータであり、プロセッサ、プロセッサのワークエリア等として機能するＲＡＭ、プロセッサが実行するプログラムやデータを格納するＲＯＭを備えている。
【００３０】
具体的には、管理サーバ４は、ネットワーク通信部４１と、記憶部４３と、制御部４５とを備えて構成される。
【００３１】
ネットワーク通信部４１は、インターネットなどのネットワーク回線を介して外部（ポスト２やスマートフォン３）とネットワーク通信を行う処理部である。
【００３２】
記憶部４３は、各種の情報を記憶する公知のメモリであり、図２に示すチラシ要否情報を記憶する処理部である。
【００３３】
図２に示すように、チラシ要否情報は、ポストＩＤとチラシ要否とを関連付けて記録したデータテーブルである。
【００３４】
制御部４５は、ネットワーク通信部４１及び記憶部４３を制御する処理部である。
【００３５】
続いて、図３に示すシーケンス図を参照しながら、ポスト２とスマートフォン３と管理サーバ４との間のやりとりについて説明する。
【００３６】
まず、ステップＳ１において、スマートフォン３は、紙チラシの要否を示すチラシ要否情報を管理サーバ４に送信する。具体的には、スマートフォン３は、図示しない登録画面を介して紙チラシの要否がユーザによって入力されると、入力内容に応じたチラシ要否情報（「要」又は「不要」）をポストＩＤと共に管理サーバ４に送信する。なお、ポストＩＤは、ユーザによって管理されるポストの識別情報である。
【００３７】
これに対して、管理サーバ４は、ポストＩＤとチラシ要否情報とを関連付けて図２に示すデータテーブルに記憶する（ステップＳ２）。
【００３８】
紙チラシに印字されたバーコード又は二次元コードがポスト２の読取リーダー２３に近接すると、読取リーダー２３は、バーコード又は二次元コードを読み取る（ステップＳ３）。
【００３９】
ポスト２のコントローラ２７は、読取リーダー２３で読み取りが行われると、ポストＩＤを管理サーバ４に送信する（ステップＳ４）。
【００４０】
これに対して、管理サーバ４は、ポスト２から受信したポストＩＤに対応するチラシ要否を参照する。
【００４１】
そして、チラシ要否が「不要」である場合には（ステップＳ５）、管理サーバ４は、投函不可をポスト２に通知する（ステップＳ６）。管理サーバ４から投函不可を受信すると、ポスト２のブザー２５は、紙ポストの投函を禁止するブザー音を出力する（ステップＳ７）。
【００４２】
一方、チラシ要否が「要」である場合には（ステップＳ８）、管理サーバ４は、投函可をポスト２に通知する（ステップＳ９）。管理サーバ４から投函可を受信すると、ポスト２のブザー２５は、紙ポストの投函を許容するブザー音を出力する（ステップＳ１０）。
【００４３】
上述した第１実施形態によれば、チラシ要否情報が「要」である場合には投函可がポスト２に通知され、投函を許容するブザー音がブザー２５から出力される。また、チラシ要否情報が「不要」である場合には投函不可がポスト２に通知され、投函を禁止するブザー音がブザー２５から出力される。そのため、紙チラシの投函を希望する者にのみ当該チラシをポストに投函することが可能である。
【００４４】
＜２．第２実施形態＞
第２実施形態は、第１実施形態の変形例である。上述した第１実施形態では、紙チラシの投函可否を管理するポスティング管理システムを例示した。
【００４５】
一方、この第２実施形態では、紙チラシの投函可否に加え、電子チラシの配信可否を管理するポスティング管理システムを例示する。以下、図４から図６を参照しながら、第２実施形態について第１実施形態と相違する部分を中心に説明する。
【００４６】
第２実施形態では、管理サーバ４の記憶部４３は、図４に示すチラシ要否情報を記憶している。また、管理サーバ４の記憶部４３は、図５に示す電子チラシ情報も記憶している。
【００４７】
図４に示すように、チラシ要否情報は、ポストＩＤとチラシ要否パターンとを関連付けて記録したデータテーブルである。
【００４８】
チラシ要否パターンには、４つのパターンのうちユーザが事前に選択した１つのパターンが記録される。
【００４９】
第１パターンは、電子チラシの配信が「要」で、紙チラシの投函が「不要」のパターンである（レコードＲＣ１１）。
【００５０】
第２パターンは、電子チラシの配信が「不要」で、紙チラシの投函が「要」のパターンである（レコードＲＣ１２）。
【００５１】
第３パターンは、電子チラシの配信も「要」で、紙チラシの投函も「要」のパターンである（レコードＲＣ１３）。
【００５２】
第４パターンは、電子チラシの配信も「不要」で、紙チラシの投函も「不要」のパターンである（レコードＲＣ１４）。
【００５３】
図５に示すように、電子チラシ情報は、チラシＩＤと、チラシＩＤに対応する電子チラシのファイルパスとを関連付けて記憶するデータテーブルである。チラシＩＤには、チラシを識別するための識別番号が記録される。ファイルパスには、電子チラシの格納場所を示すパス情報が記録される。
【００５４】
続いて、図６に示すシーケンス図を参照しながら、第２実施形態におけるポスティング管理システム１の動作ついて説明する。
【００５５】
まず、ステップＳ１〜Ｓ３に関しては、上述した第１実施形態と同様の処理が実行される。ただし、ステップＳ１においてスマートフォン３から管理サーバ４に送信されるチラシ要否情報は、上述した４つのチラシ要否パターンのいずれかが送信される。
【００５６】
ポスト２のコントローラ２７は、読取リーダー２３で読み取りが行われると（ステップＳ３）、バーコード又は二次元コードに含まれるチラシ識別情報を抽出し、当該チラシ識別情報とポストＩＤとを管理サーバ４に送信する（ステップＳ４１）。
【００５７】
これに対して、管理サーバ４は、ポスト２から受信したポストＩＤに対応するチラシ要否パターンを取得する。
【００５８】
チラシ要否パターンが第１パターンである場合には（ステップＳ６１）、管理サーバ４は、投函不可をポスト２に通知する（ステップＳ６１１）。ポスト２のブザー２５は、管理サーバ４から投函不可を受信すると、紙ポストの投函を禁止するブザー音（ＮＧブザー音）を出力する（ステップＳ６１２）。
【００５９】
また、チラシ要否パターンが第１パターンである場合には（ステップＳ６１）、管理サーバ４は、ポスト２から受信したチラシ識別情報に対応するファイルパスを取得する。そして、管理サーバ４は、ファイルパスに対応する電子ファイルをスマートフォン３に送信する（ステップＳ６１３）。
【００６０】
チラシ要否パターンが第２パターンである場合には（ステップＳ６２）、管理サーバ４は、投函可をポスト２に通知する（ステップＳ６２１）。ポスト２のブザー２５は、管理サーバ４から投函可を受信すると、紙ポストの投函を許容するブザー音（ＯＫブザー音）を出力する（ステップＳ６２２）。
【００６１】
チラシ要否パターンが第３パターンである場合には（ステップＳ６３）、管理サーバ４は、投函可をポスト２に通知する（ステップＳ６３１）。ポスト２のブザー２５は、管理サーバ４から投函可を受信すると、紙ポストの投函を許容するブザー音（ＯＫブザー音）を出力する（ステップＳ６３２）。
【００６２】
また、チラシ要否パターンが第３パターンである場合には（ステップＳ６３）、管理サーバ４は、ポスト２から受信したチラシ識別情報に対応するファイルパスを取得する。そして、管理サーバ４は、ファイルパスに対応する電子ファイルをスマートフォン３に送信する（ステップＳ６３３）。
【００６３】
チラシ要否パターンが第４パターンである場合には（ステップＳ６４）、管理サーバ４は、投函不可をポスト２に通知する（ステップＳ６４１）。ポスト２のブザー２５は、管理サーバ４から投函不可を受信すると、紙ポストの投函を禁止するブザー音（ＮＧブザー音）を出力する（ステップＳ６４２）。
【００６４】
上述した第２実施形態によれば、紙チラシの投函可否のみならず、電子チラシの配信可否をも管理することが可能である。より詳細には、電子チラシの配信のみを希望する者、紙チラシの投函のみを希望する者、電子チラシの配信及び紙チラシの投函の双方を希望する者、電子チラシの配信も紙チラシの投函も希望しない者の要望に応えることが可能である。
【００６５】
＜３．変形例＞
本発明によるポスティング管理システムは上述の実施形態に限定されず、特許請求の範囲に記載した範囲で種々の変形や改良が可能である。
【００６６】
例えば、上述した第１実施形態では、チラシ要否（要又は不要）に応じて紙チラシの投函可否を決定する場合を例示したが、これに限定されない。紙チラシのカテゴリ（男性向け又は女性向け）に対応する４つのパターンに応じて投函可否を決定するようにしてもよい。
【００６７】
具体的には、管理サーバ４の記憶部４３は、図７に示すチラシ要否情報を記憶する。図７に示すように、チラシ要否情報のチラシ要否パターンには、４つのパターンのうちユーザが事前に選択した１つのパターンが記録される。
【００６８】
第１パターンは、男性向け紙チラシの投函が「要」で、女性向け紙チラシの投函が「不要」のパターンである（レコードＲＣ２１）。
【００６９】
第２パターンは、男性向け紙チラシの投函が「不要」で、女性向け紙チラシの投函が「要」のパターンである（レコードＲＣ２２）。
【００７０】
第３パターンは、男性向け紙チラシの投函も「要」で、女性向け紙チラシの投函も「要」のパターンである（レコードＲＣ２３）。
【００７１】
第４パターンは、男性向け紙チラシの投函も「不要」で、女性向け紙チラシの投函も「不要」のパターンである（レコードＲＣ２４）。
【００７２】
続いて、図８に示すシーケンス図を参照しながら、当該変形例におけるポスティング管理システム１の動作ついて説明する。
【００７３】
まず、ステップＳ１〜Ｓ３に関しては、上述した第１及び第２実施形態と同様の処理が実行される。ただし、ステップＳ１においてスマートフォン３から管理サーバ４に送信されるチラシ要否情報は、上述した４つのチラシ要否パターンのいずれかが送信される。
【００７４】
ポスト２のコントローラ２７は、読取リーダー２３で読み取りが行われると（ステップＳ３）、バーコード又は二次元コードに含まれるカテゴリ情報を抽出し、当該カテゴリ情報とポストＩＤとを管理サーバ４に送信する（ステップＳ４２）。
【００７５】
これに対して、管理サーバ４は、ポスト２から受信したポストＩＤに対応するチラシ要否パターンを取得する。
【００７６】
チラシ要否パターンが第１パターンである場合には（ステップＳ５１）、管理サーバ４は、カテゴリ情報に基づいて紙チラシのカテゴリ（男性向け又は女性向け）を判定する。
【００７７】
そして、管理サーバ４は、男性向けと判定した場合には投函可をポスト２に通知する（ステップＳ５１１）。そして、ポスト２のブザー２５は、管理サーバ４から投函可を受信すると、紙ポストの投函を許容するブザー音（ＯＫブザー音）を出力する（ステップＳ５１２）。
【００７８】
他方、管理サーバ４は、女性向けと判定した場合には投函不可をポスト２に通知する（ステップＳ５１３）。そして、ポスト２のブザー２５は、管理サーバ４から投函不可を受信すると、紙ポストの投函を禁止するブザー音（ＮＧブザー音）を出力する（ステップＳ５１４）。
【００７９】
チラシ要否パターンが第２パターンである場合には（ステップＳ５２）、管理サーバ４は、カテゴリ情報に基づいて紙チラシのカテゴリ（男性向け又は女性向け）を判定する。
【００８０】
そして、管理サーバ４は、男性向けと判定した場合には投函不可をポスト２に通知する（ステップＳ５２１）。そして、ポスト２のブザー２５は、管理サーバ４から投函不可を受信すると、紙ポストの投函を禁止するブザー音（ＮＧブザー音）を出力する（ステップＳ５２２）。
【００８１】
他方、管理サーバ４は、女性向けと判定した場合には投函可をポスト２に通知する（ステップＳ５２３）。そして、ポスト２のブザー２５は、管理サーバ４から投函可を受信すると、紙ポストの投函を許容するブザー音（ＯＫブザー音）を出力する（ステップＳ５２４）。
【００８２】
チラシ要否パターンが第３パターンである場合には（ステップＳ５３）、管理サーバ４は、カテゴリ情報に関係なく、投函可をポスト２に通知する（ステップＳ５３１）。ポスト２のブザー２５は、管理サーバ４から投函可を受信すると、紙ポストの投函を許容するブザー音（ＯＫブザー音）を出力する（ステップＳ５３２）。
【００８３】
チラシ要否パターンが第４パターンである場合には（ステップＳ５４）、管理サーバ４は、カテゴリ情報に関係なく、投函不可をポスト２に通知する（ステップＳ５４１）。ポスト２のブザー２５は、管理サーバ４から投函不可を受信すると、紙ポストの投函を禁止するブザー音（ＮＧブザー音）を出力する（ステップＳ５４２）。
【００８４】
上述した変形例によれば、紙チラシのカテゴリ（男性向け又は女性向け）に応じて当該紙チラシの投函可否が決定されるので、より適切な紙チラシがポストに投函される可能性が高く、広告の費用対効果に優れている。
【００８５】
また、上述した第１及び第２実施形態では、本発明に係る報知部の一例としてブザー２５を例示したが、これに限定されない。例えば、ブザー２５の代わりにモニタを設置し、当該モニタに紙チラシの投函を許容するメッセージや紙チラシの投函を禁止するメッセージを表示するようにしてもよい。
【産業上の利用可能性】
【００８６】
以上のように本発明によるポスティング管理システムは、紙チラシの投函や電子チラシの配信を管理するのに適している。
【符号の説明】
【００８７】
１  ポスティング管理システム
２  ポスト
３  スマートフォン
４  管理サーバ
２１  ネットワーク通信部
２３  読取リーダー
２５  ブザー
２７  コントローラ
３１  ネットワーク通信部
３３  タッチパネルディスプレイ
３５  制御部
４１  ネットワーク通信部
４３  記憶部
４５  制御部
【要約】
【課題】チラシの提供を希望する者にのみ当該チラシを提供することが可能なポスティング管理システムの提供。
【解決手段】ポスティング管理システム１は、ポスト２とスマートフォン３と管理サーバ４とを備えて構成される。ポスト２は、読取リーダー２３とブザー２５とコントローラ２７とを有する。管理サーバ４は、ポスト識別情報とチラシ要否情報とを関連付けて記憶する記憶部４３を有する。読取リーダー２３は、紙チラシに印刷されたバーコード又は二次元コードを読取る。コントローラ２７は、ポスト識別情報を管理サーバ４に送信する。管理サーバ４は、チラシ要否情報が要である場合には投函可をポスト２に通知し、チラシ要否情報が否である場合には投函不可をポスト２に通知する。ポスト２のブザー２５は、投函可に応答して投函を許容するブザー音を出力し、投函不可に応答して投函を禁止するブザー音を出力する。
【選択図】図１【図１】
0006864776.tif 000002
【図２】
0006864776.tif 000003
【図３】
0006864776.tif 000004
【図４】
0006864776.tif 000005
【図５】
0006864776.tif 000006
【図６】
0006864776.tif 000007
【図７】
0006864776.tif 000008
【図８】
0006864776.tif 000009